(57)【要約】      （修正有）【課題】ごみ袋の取り出しやごみ箱の開口への取り付けが容易であり、設置スペースの増加のないごみ袋収容部を備えたごみ箱を提供する。【解決手段】ごみ箱１０は、プラスチック製の上端に開口を有する箱状の容器本体１１と、容器本体１１の上端に着脱自在に取り付けられて開口を閉塞する蓋部材１３とを備えている。蓋部材１３が２つの領域に仕切られており、左半分の領域が、開口に続くごみ投入口１５と、ごみ投入口１５を開閉可能に閉塞する開閉蓋部１６とにより構成され、右半分の領域が、ごみ袋を収容する収容箱部と、収容箱部の上端開口を開閉可能に閉塞する収容蓋部２１とにより構成されている。【選択図】図１
0003148948.tif 000002
【実用新案登録請求の範囲】
【請求項１】
上端に開口を有する箱状の容器本体と、該容器本体の上端に開閉可能に取り付けられて該開口を閉塞する蓋部材とを備えたごみ箱において、前記蓋部材が２つの領域に仕切られており、一方の領域が、前記開口に続くごみ投入口と、該ごみ投入口を開閉可能に閉塞する開閉蓋部とにより構成され、他方の領域が、ごみ袋を収容する収容箱部と、該収容箱部の上端開口を開閉可能に閉塞する収容蓋部とにより構成されたことを特徴とするごみ箱。
【請求項２】
前記収容箱部が仕切部によって複数区画に分けられたことを特徴とする請求項１に記載のごみ箱。
【請求項３】
上端に開口を有する箱状の容器本体と、該容器本体の上端に開閉可能に取り付けられて該開口を閉塞する蓋部材とを備えたごみ箱において、前記蓋部材が、前記開口を開閉自在に閉塞する開閉蓋部と、該開閉蓋部の上面に設けられた枠で囲まれて箱状にされたごみ袋を収容する袋収容部と、該袋収容部の枠の外周縁を囲んで被せられて該袋収容部の上端開口を開閉可能に閉塞する収容蓋部とにより構成されたことを特徴とするごみ箱。
【請求項４】
前記袋収容部が仕切部によって複数区画に分けられたことを特徴とする請求項３に記載のごみ箱。
【考案の詳細な説明】
【技術分野】
【０００１】
本考案は、容器の上端開口に開閉可能に取り付けられた蓋を開閉することにより内部にごみを投入するごみ箱に係り、外壁の一部にごみ袋を収容できる収容部を設けたごみ箱に関する。
【背景技術】
【０００２】
家庭内等で発生する大量のごみの処理について、ごみ廃棄量の抑制とリサイクルによる資源の活用としての観点から、ごみを分別して収集する動きが各自治体において強まっている。例えば、ごみ袋の色を透明、黄色、緑色等に分けて、それぞれ金属や陶器等の不燃ごみ用、生ゴミ等の可燃ごみ用、発泡スチロールやアルミ缶等のように回収して再利用が可能な資源ごみ用等と決め、複数のごみ箱を用意してごみの種類の応じたごみ袋を装着して使用することにより、分別されたごみとして集めることができ、その後のごみ処理の手間が大幅に抑えられる。この場合、家庭内の保管場所に用意した複数種類のごみ袋を一々取り出してごみの種類に応じたごみ箱に取り付けるのでは、ごみ袋を取り付けるための手間が非常に煩雑であった。
【０００３】
これに対して、例えば特許文献１に示すように、ごみ箱の底部や背部に予備のごみ袋を収容するごみ袋収容部を設けたものが知られている。しかし、ごみ袋収容部をごみ箱の底部や背部に設けたのでは、ごみ袋の取り出しが煩雑であると共に、袋を取り出してごみ箱の開口部に取り付けるに手間がかかという問題がある。また、背部に設けた場合、ごみ箱がごみ袋収容部によって膨らむため、その設置スペースが広くなり、さらに屋外に設置した場合に雨水等でごみ袋が濡れやすいという問題もある。
【特許文献１】特開平１１−７９３０５号公報
【考案の開示】
【考案が解決しようとする課題】
【０００４】
本考案は、上記問題を解決しようとするもので、ごみ袋の取り出しやごみ箱の開口への取り付けが容易であり、設置スペースの増加のないごみ袋の収容部を備えたごみ箱を提供することを目的とする。また、本考案は、屋外に設置しても、ごみ袋収容部分が雨水等で濡れないようにできるごみ袋の収容部を備えたごみ箱を提供することを他の目的とする。
【課題を解決するための手段】
【０００５】
上記目的を達成するために、本考案の第１の特徴は、上端に開口を有する箱状の容器本体と、容器本体の上端に開閉可能に取り付けられて開口を閉塞する蓋部材とを備えたごみ箱において、蓋部材が２つの領域に仕切られており、一方の領域が、開口に続くごみ投入口と、ごみ投入口を開閉可能に閉塞する開閉蓋部とにより構成され、他方の領域が、ごみ袋を収容する収容箱部と、収容箱部の上端開口を開閉可能に閉塞する収容蓋部とにより構成されたことにある。
【０００６】
上記のように構成した本考案においては、容器本体に所定のごみ袋を取り付けて蓋部材を開口に被せることにより、蓋部材が容器本体に取り付けられて開口が閉鎖される。ここで、蓋部材の他方の領域において、収容箱部内に１種類あるいは複数種類のごみ袋を収容することができ、収容箱部の上端開口が収容蓋部によって閉鎖される。ごみ箱内にごみを投入するときは、一方の領域に設けた開閉蓋部を開けてごみ投入口を開放することにより、ごみを容器本体内に投入することができる。容器本体内のごみ袋がごみで一杯になったときは、蓋部材を取り外すことにより、ごみ袋を取り出すことができる。このとき、収容蓋部を開けて収容箱部内から新たな所望のごみ袋を取り出して容器本体に取り付け、蓋部材で開口に被せることにより開口が閉鎖される。
【０００７】
その結果、本考案においては、ごみ箱に新たなごみ袋を取り付ける際に、ごみ箱の上面に設けた収容箱部内から整理された状態のごみ袋を取り出して容器本体に簡単に取り付けることができるので、ごみ袋取り付けの負担が軽減される。特に、ごみの種類に応じてごみ袋を取り付ける際に、収容箱部内に複数種類のごみ袋を収容しておけば、その中から適正なごみ袋を選択して簡単に取り付けることができるので便利である。また、ごみ投入の際は、開閉蓋部のみが開け閉めされ、蓋部材自体は動かないので、収容箱部内のごみ袋は整理された状態で保管されているので、ごみ袋の容器本体への取り付けがさらに容易になる。
【０００８】
本考案において、収容箱部が仕切部によって複数区画に分けられることが好ましい。これにより、袋収容部の複数区画に、複数種類のごみ袋を分けて保管できるので、複数種類のごみ袋が混ざり合うことがないので、取り出しの際に便利である。
【０００９】
また、本考案の第２の特徴は、上端に開口を有する箱状の容器本体と、容器本体の上端に開閉可能に取り付けられて開口を閉塞する蓋部材とを備えたごみ箱において、蓋部材が、開口を開閉自在に閉塞する開閉蓋部と、開閉蓋部の上面に設けられた枠で囲まれて箱状にされたごみ袋を収容する袋収容部と、袋収容部の枠の外周縁を囲んで被せられて袋収容部の上端開口を開閉可能に閉塞する収容蓋部とにより構成されたことにある。
【００１０】
上記のように構成した第２の特徴においては、容器本体に所定のごみ袋を取り付けて蓋部材を開口に被せることにより開口が閉鎖される。ここで、蓋部材の袋収容部内に１種類あるいは複数種類のごみ袋を収容することができ、袋収容部の上端開口が収容蓋部によって閉鎖される。ごみ箱内にごみを投入するときは、蓋部材を開けて開口を開放することにより、ごみを容器本体内に投入することができる。容器本体内のごみ袋がごみで一杯になったときは、蓋部材を開けたり取り外すことによって開口を開放することにより、ごみ袋を取り出すことができる。その際、収容蓋部を開けて袋収容部内から新たな所望のごみ袋を取り出して容器本体に取り付けて、蓋部材で開口に被せることにより開口が閉鎖される。
【００１１】
その結果、本考案においては、ごみ箱に新たなごみ袋を取り付ける際に、ごみ箱に設けた収容箱部内からごみ袋を取り出して容器本体に簡単に取り付けることができるので、ごみ袋取り付けの負担が軽減される。特に、ごみの種類に応じてごみ袋を取り付ける際に、収容箱部内に複数種類のごみ袋を収容しておけば、その中から適正なごみ袋を選択して簡単に取り付けることができるので便利である。さらに、収容蓋部が袋収容部の枠の外縁を囲って被せられていることにより、未使用のごみ袋が収容された袋収容部内に雨水等が侵入することがないので、ごみ箱を屋外において使用する場合に便利である。
【００１２】
また、本考案において、収容箱部が仕切部によって複数区画に分けられることが好ましい。これにより、これにより、袋収容部の複数区画に、複数種類のごみ袋を分けて保管できるので、複数種類のごみ袋が混ざり合うことがないので、取り出しの際に非常に便利である。
【考案の効果】
【００１３】
本考案によれば、ごみ箱に新たなごみ袋を取り付ける際に、ごみ箱の上面に設けた収容箱部や袋収容部内からごみ袋を取り出すことにより容器本体に簡単に取り付けることができるので、ごみ袋取り付けの負担が軽減される。特に、ごみの種類に応じてごみ袋を取り付ける際に、収容箱部内に複数種類のごみ袋を収容しておけば、その中から適正なごみ袋を選択して簡単に取り付けることができるので便利である。また、ごみ投入の際に、開閉蓋部のみが開け閉めされる場合は、蓋部材自体は動かないので、収容箱部内のごみ袋は整理した状態のままであるため、ごみ袋の容器本体への取り付けがさらに容易になる。さらに、収容蓋部が袋収容部の枠の外縁を囲って被せられている場合は、未使用のごみ袋が収容された袋収容部内に雨水等が侵入することがないので、ごみ箱を屋外において使用する場合に便利である。
【考案を実施するための最良の形態】
【００１４】
以下、本考案の一実施例について図面を用いて説明する。図１〜図４は、実施例１であるごみ袋を収容する収容部付きのごみ箱１０を斜視図、平面図、正面図及びＩＶ−ＩＶ線方向の断面図により示したものである。ごみ箱１０は、プラスチック製の上端に開口１２を有する箱状の容器本体１１と、容器本体１１の上端に着脱自在に取り付けられて開口１２を閉塞する蓋部材１３とを備えている。なお、ごみ箱１０の前後左右については、図３の前後左右に合わせて説明する。
【００１５】
容器本体１１は、横長で全側面が上端から下端にかけて傾斜した逆四角錐台形状になっており、上端外周縁に蓋部材１３が被せられている。蓋部材１３は、容器本体１１の上端外周縁を囲む長尺の一対の前後側板部１４ａ，１４ｂと、前後側板部１４ａ，１４ｂの両端で両者を連結する前後側板部１４ａ，１４ｂより短い左右側板部１４ｃ，１４ｄとからなる長方形の枠部１４を有しており、前後側板部１４ａ，１４ｂの長手方向中間位置で両者を連結する連結板部１４ｅを設けている。左右側板部１４ｃ，１４ｄは、前後側板部１４ａ，１４ｂに比べて高さが低くなっており、上端縁が前後側板部１４ａ，１４ｂの上端縁から凹んだ状態になっており、凹んだ部分に後述する開閉蓋部１６の先端側（図１の左端側）と収容蓋部２１の先端側（図１の右端側）が嵌め合わされるようになっている。また、連結板部１４ｅは、上下長さが前後側板部１４ａ，１４ｂと左右側板部１４ｃ，１４ｄに比べて短くなっており、上端縁が前後側板部１４ａ，１４ｂと左右側板部１４ｃ，１４ｄの上端縁に揃えられているため、下端縁が各側板部１４ａ，１４ｂ，１４ｃ，１４ｄの下端縁より高くなっている。連結板部１４ｅを挟んだ左側が蓋部材１３の一方の領域に相当し、右側が他方の領域に相当している。
【００１６】
前後側板部１４ａ，１４ｂと左側板部１４ｃと連結板部１４ｅに囲まれた内側が、ごみ投入口１５になっている。開閉蓋部１６は、ごみ投入口１５とほぼ同じ大きさの長方形の板状部材であり、その右端側の前後位置に設けた図示しない一対の取付孔に、前後側板部１４ａ，１４ｂの連結板部１４ｅ左近傍位置に設けた図示しないピン部材を差し込むことにより、前後側板部１４ａ，１４ｂに密着した状態で右側縁を中心として回動可能に取り付けられている。ここで、開閉蓋部１６の左端は、上記左側板部１４ｃ上に当接し、開閉蓋部１６がごみ投入口１５を閉鎖した状態になっている。
【００１７】
前後側板部１４ａ，１４ｂと右側板部１４ｄと連結板部１４ｅで囲まれた長方形枠の下端側には底板１７が固定されている。底板１７上面の前後中央位置には、収容箱部１８内を前後２つの領域に仕切る長尺板状の仕切部１９が設けられている。各側板部１４ａ，１４ｂ，１４ｄ、連結板部１４ｅ、底板１７、仕切部１９によってごみ袋２３を収容可能な収容箱部１８が形成されている。なお、仕切部１９は２つ以上とすることも可能である。前後側板部１４ａ，１４ｂと右側板部１４ｄと連結板部１４ｃで囲まれた長方形枠内の上端側には、同一長方形の収容蓋部２１が密着状態で嵌め合わされている。収容蓋部２１は、左端側の前後位置に設けた図示しない一対の取付孔に、前後側板部１４ａ，１４ｂの連結板部１４ｅ右近傍位置に設けた図示しないピン部材を差し込むことにより、左側縁を中心として回動可能に取り付けられて、収容箱部１８の上端開口１８ａを閉鎖している。
【００１８】
上記構成の実施例１においては、容器本体１１内に所定のごみ袋を取り付けて蓋部材１３で開口１２外周縁に被せることにより、蓋部材１３が容器本体１１に取り付けられて開口１２が閉鎖される。ここで、蓋部材１３の収容箱部１８内に１種類あるいは複数種類のごみ袋２３を収容することができ、収容箱部１８の上端開口１８ａが収容蓋部２１によって閉鎖される。ごみ箱１０内にごみを投入するときは、図５，図６に示すように、開閉蓋部１６を開けてごみ投入口１５を開放することにより、ごみを容器本体１１内に投入することができる。容器本体１１内のごみ袋がごみで一杯になったときは、蓋部材１３を取り外すことにより、ごみ袋を取り出すことができる。このとき、図５、図６に示すように、収容蓋部２１を開けて収容箱部１８内から新たな所望のごみ袋２３を取り出して容器本体１１に取り付けて蓋部材１３で開口１２に被せることによりが開口１２が閉鎖され容器本体１１に取り付けられる。
【００１９】
その結果、実施例１においては、ごみ箱１０に新たなごみ袋を取り付ける際に、ごみ箱１０に設けた収容箱部１８内からごみ袋２３を取り出して容器本体１１に簡単に取り付けることができるので、ごみ袋取り付けの負担が軽減される。また、収容箱部１８が仕切部１９によって２区画に区分されていることにより、２種類のごみ袋を分けて保管でき２種類のごみ袋が混ざり合うことがないので、その中から適正なごみ袋を選択して容器本体１１に簡単に取り付けることができるので便利である。また、ごみ投入の際は、開閉蓋部１６のみが開け閉めされ蓋部材１３自体は動かないので、収容箱部１８内のごみ袋の無用な変形が少なくなり、そのため、ごみ袋の容器本体１１への取り付けの手間が少なくされる。さらに、実施例１においては、蓋部材１３に、開閉蓋部１６とごみ投入口１５、収容箱部１８と収容蓋部２１を併設したことにより、開閉蓋部１６の開閉は通常通り軽く行うことができ、また蓋部材１３の上面からごみ袋の取り出しを容易に行うことができる。
【００２０】
つぎに、実施例２について説明する。
図７〜図１０は、実施例２であるごみ袋収容部付きのごみ箱３０を正面図、平面図、左側面図及び右側面図により示したものである。ごみ箱３０は、プラスチック製の上端にごみ投入口となる開口３２を有する箱状の容器本体３１と、容器本体３１の上端に開閉自在に取り付けられて開口３２を閉塞する蓋部材３５とを備えている。なお、ごみ箱の前後左右については、図７の前後左右に合わせて説明する。
【００２１】
容器本体３１は、横長で前後側面３１ａ，３１ｂ及び左右側面３１ｃ，３１ｄが上端から下端にかけて傾斜した逆四角錐台形状になっており、右側面３１ｄの上端に取付部３３を設けており、上端開口３２外周縁に蓋部材３５が被せられている。取付部３３は、前後一対のブラケット３３ａに丸棒状の支持棒３３ｂが前後に水平に延びて取り付けられている。蓋部材３５は、開閉蓋部３６と、中間部４３と、袋収容部４５とが上下に重ね合わされて一体として設けており、袋収容部４５に別体の収容蓋部４８を被せて構成されている。
【００２２】
開閉蓋部３６は、長方形の平板部３７と、その外周縁にて下方に突出した前後側板３８ａ，３８ｂと左右側板３８ｃ，３８ｄからなる枠部３８を一体で設けており、左側板３８ｃの前後中央には容器本体３１の左側面上端と係合するフック３９を設けており、また右側板３８ｄの前後中央には容器本体３１の取付部３３に取り付けられる取付部４１を設けている。取付部４１は、右側板３８ｄに取り付けられて容器本体１１の上端と上記支持棒３３ｂの間を通って下方に延びた基部４１ａを有し、支持棒３３ｂの上側にて基部４１ａから突出した前後両端側のヒンジ４１ｂと中央のヒンジ４１ｃを設けると共に支持棒３３ｂの下側にて基部４１ａから突出した前後両側のヒンジ４１ｄを一体で設けている。開閉蓋部３６は、取付部４１の上側のヒンジ４１ｂ，４１ｃと下側のヒンジ４１ｄとによって支持棒３３ｂを上下から挟むことにより、支持棒３３ｂに着脱可能かつ回動可能に取り付けられている。
【００２３】
中間部４３は、開閉蓋部３６や袋収容部４５と相似形状であるが前後左右長さの短い枠状部材であり、開閉蓋部３６の上面と袋収容部４５の下面に一体で固定されている。袋収容部４５は、開閉蓋部３６よりわずかに小さい長方形であって、長方形の平板部４６と、その外周縁に上方に突出した前後側板４７ａ，４７ｂと左右側板４７ｃ，４７ｄからなる枠部４７を一体で設けた浅い箱状の容器であり、左右中央に長尺板状の仕切部４７ｅを設けており、内部が左右の２つの領域になるように区分けされている。なお、仕切部４７ｅは２つ以上とすることも可能である。収容蓋部４８は、開閉蓋部３６とほぼ同一の長方形であって、長方形の平板部４９と、その外周縁にて下方に突出した前後側板５１ａ，５１ｂと左右側板５１ｃ，５１ｄからなる枠部５１を一体で設けた浅い箱状の容器であり、左側板５１ｃの前後中央には袋収容部４５の左側面上端と係合するフック５２を設けており、また右側板５１ｄの前後中央には袋収容部４５の右側面と係合するフック５３を設けている。収容蓋部４８の平板部４９上面の中央には把手４９ａが設けられている。内部にごみ袋が収容された袋収容部４５に、その外周縁に沿って収容蓋部４８を被せてフック５２，５３で係止することにより、収容蓋部４８が袋収容部４５に固定され、袋収容部４５内に雨水等が浸みこまないようにされる。
【００２４】
上記構成の実施例２においては、容器本体３１に所定のごみ袋を取り付けて、蓋部材３５を取付部３３，４１を中心として回動させて開口３２に被せることにより開口３２が閉鎖される。ここで、蓋部材３５の袋収容部４５内に１種類あるいは複数種類のごみ袋を収容することができ、袋収容部４５の上端開口４５ａが収容蓋部４８によって閉鎖される。ごみ箱３０内にごみを投入するときは、蓋部材３５を開けて開口３２を開放することにより、ごみを容器本体３１内に投入することができる。容器本体３１内のごみ袋がごみで一杯になったときは、蓋部材３５を取付部３３，４１を中心として回動させることによって開口３２を開放することにより、ごみ袋を取り出すことができる。このとき、収容蓋部４８を開けて袋収容部４５内から新たな所望のごみ袋を取り出して容器本体３１に取り付けて蓋部材３５で開口３２に被せることにより開口３２が閉鎖される。
【００２５】
その結果、実施例２においては、ごみ箱３０に新たなごみ袋を取り付ける際に、ごみ箱３０の上面に設けた袋収容部４５内からごみ袋を取り出して容器本体３１に簡単に取り付けることができるので、ごみ袋取り付けの負担が軽減される。また、実施例２においては、袋収容部４５が仕切部４７ｅによって２つの領域に分けられているため、２種類のごみ袋を分けて保管でき混ざり合うことがないので、ごみの種類に応じてごみ袋を取り付ける際に、袋収容部４５内から適正なごみ袋を選択して簡単に取り付けることができるので便利である。さらに、収容蓋部４８が袋収容部４５の枠の外縁を囲って被せられていることにより、未使用のごみ袋が収容された袋収容部４５内に雨水等が侵入することがないので、ごみ箱３０を屋外において使用する場合に便利である。
【００２６】
なお、上記実施例２においては、蓋部材は取付部によって容器本体に回動可能に取り付けられているが、蓋部材を容器本体と別体として開口に被せるようにしてもよい。その他、上記実施例に示したごみ箱については一例であり、本考案の趣旨を逸脱しない範囲において種々変更して実施することができる。
【産業上の利用可能性】
【００２７】
本考案のごみ箱は、ごみ箱に新たなごみ袋を取り付ける際に、ごみ箱の上面に設けた収容箱部や袋収容部内からごみ袋を取り出して容器本体に簡単に取り付けることができるので、ごみ袋取り付けの手間がなく、ごみの種類に応じてごみ袋を取り付ける際に、収容箱部内に複数種類のごみ袋を収容しておけば、その中から適正なごみ袋を選択して簡単に取り付けることができ、特に収容蓋部が袋収容部の枠の外縁を囲って被せられている場合は、未使用のごみ袋が収容された袋収容部内に雨水等が侵入することがないのでごみ箱を屋外において使用する場合に便利なので、有用である。
【図面の簡単な説明】
【００２８】
【図１】本考案の実施例１であるごみ箱を示す斜視図である。
【図２】同ごみ箱を示す平面図である。
【図３】同ごみ箱を示す正面図である。
【図４】同ごみ箱の蓋部材を示す図２のＩＶ−ＩＶ線方向の断面図である。
【図５】同ごみ箱の開閉蓋部と収容蓋部を開放した状態を示す平面図である。
【図６】同ごみ箱の開閉蓋部と収容蓋部を開放した状態を示す正面図である。
【図７】実施例２であるごみ箱を示す正面図である。
【図８】同ごみ箱を示す平面図である。
【図９】同ごみ箱を示す左側面図である。
【図１０】同ごみ箱を示す右側面図である。
【図１１】同ごみ箱の収容蓋部を開放した状態を示す正面図である。
【図１２】同ごみ箱の収容蓋部を開放した状態を示す平面図である。
【図１３】同ごみ箱の蓋部材を開放した状態を示す正面図である。
【符号の説明】
【００２９】
１０：ごみ箱、１１：容器本体、１３：蓋部材、１５：ごみ投入口、１６：開閉蓋部、１８：収容箱部、２１：収容蓋部、３０：ごみ箱、３１：容器本体、３５：蓋部材、３６：開閉蓋部、４５：袋収容部、４８：収容蓋部。
【図１】
0003148948.tif 000003
【図２】
0003148948.tif 000004
【図３】
0003148948.tif 000005
【図４】
0003148948.tif 000006
【図５】
0003148948.tif 000007
【図６】
0003148948.tif 000008
【図７】
0003148948.tif 000009
【図８】
0003148948.tif 000010
【図９】
0003148948.tif 000011
【図１０】
0003148948.tif 000012
【図１１】
0003148948.tif 000013
【図１２】
0003148948.tif 000014
【図１３】
0003148948.tif 000015